(57)【要約】【課題】医療用の動画ファイルの編集作業に関して、ユーザの作業負担を軽減することができる医療動画処理システムを提供する。【解決手段】設定されたセクションの少なくとも一部に対応する一又は複数の動画ファイルを記憶手段から読み出し、読み出した動画ファイルが録画されている一又は複数の時間帯のうち該セクションと重複する時間帯であるセクション重複部分の時間長さを算出し、算出の対象になったセクション重複部分に含まれるタイムコードに対応する動画ファイルを部分的に切り出して所定の記憶領域に保存させる場合において、セクション重複部分の時間長さ（例えば３２分１０秒）が所定時間（例えば３０分）を超えると、所定の記憶領域に保存させる動画ファイルの時間長さを所定時間以下に短縮する短縮処理を行いうる。【選択図】図１３
2019185835.tif 000002
【特許請求の範囲】
【請求項１】
施術が行われている施術期間の或る時点を始点として定められるタイムコードに対応付けて、前記施術期間の一部又は全部にわたって録画された複数の動画ファイルを記憶する記憶手段と、
前記記憶手段に記憶されている動画ファイル及び動画ファイルに関する情報を表示する表示手段と、
前記表示手段に表示されている動画ファイルに対応する前記タイムコード上の時間帯の一部又は全部であるセクションを、ユーザによる操作に基づいて任意に設定するセクション設定手段と、
前記セクション設定手段によって設定された前記セクションの少なくとも一部に対応する一又は複数の動画ファイルを前記記憶手段から読み出し、読み出した動画ファイルが録画されている一又は複数の時間帯のうち該セクションと重複する時間帯であるセクション重複部分の時間長さを算出する算出手段と、
前記算出手段による算出の対象になった前記セクション重複部分に含まれる前記タイムコードに対応する動画ファイルを部分的に切り出して所定の記憶領域に保存させる部分保存手段と、
を備え、
前記算出手段によって算出された前記セクション重複部分の時間長さが所定時間を超える場合の少なくとも一部において、前記部分保存手段は、前記所定の記憶領域に保存させる動画ファイルの時間長さを前記所定時間以下に短縮する短縮処理を行うことを特徴とする医療動画処理システム。
【請求項２】
前記所定時間は、ユーザによる操作に基づいて任意に定められる時間である請求項１に記載の医療動画処理システム。
【請求項３】
前記部分保存手段は、前記算出手段による算出の対象になった前記セクション重複部分に含まれる前記タイムコードに対応する動画ファイルが複数である場合、該セクション重複部分の時間長さに対する前記短縮処理の対象となる各動画ファイルの時間が占める割合と、各動画ファイルが該短縮処理によって短縮される時間と、の間に正の相関関係がある請求項１又は２に記載の医療動画処理システム。
【請求項４】
前記部分保存手段は、前記算出手段による算出の対象になった前記セクション重複部分に含まれる前記タイムコードに対応する動画ファイルが複数である場合において、保存対象の複数の動画ファイルの少なくとも一部を統合して前記所定の記憶領域に保存させる請求項１から３のいずれか一項に記載の医療動画処理システム。
【請求項５】
前記施術に関する複数の動画ファイルを複数の入力系統に分けて入力する動画入力手段を備え、
前記部分保存手段は、前記算出手段による算出の対象になった前記セクション重複部分に含まれる前記タイムコードに対応する動画ファイルが複数の前記入力系統から入力された場合であって、且つ、前記入力系統の少なくとも一つにおいて保存対象となる動画ファイルが複数になった場合、保存対象の複数の動画ファイルを前記入力系統ごとに一つの動画ファイルに統合して前記所定の記憶領域に保存させる請求項４に記載の医療動画処理システム。
【請求項６】
前記セクション設定手段によって設定された一又は複数の前記セクションを、ユーザによる操作に基づいて任意に指定するセクション指定手段と、
複数の前記入力系統の一部又は全部を、ユーザによる操作に基づいて任意に指定する入力系統指定手段と、
を備え、
前記部分保存手段は、前記セクション指定手段によって指定された前記セクションに含まれる前記タイムコードに対応しており且つ前記入力系統指定手段によって指定された前記入力系統から入力された動画ファイルを一括的に保存する請求項５に記載の医療動画処理システム。
【発明の詳細な説明】
【技術分野】
【０００１】
本発明は、医療動画処理システムに関する。
【背景技術】
【０００２】
近年、外科手術において施術内容を記録する等の目的のため、複数の撮影装置を用いて動画を撮影してサーバに保管、管理する医療動画処理システムが存在する。
この種の医療動画処理システムに関する従来発明として下記の特許文献１を例示する。
【０００３】
特許文献１には、関心のある画像（関心画像）を含む動画像を記憶して事後再生する場合において、簡単且つ直感的に関心画像を把握することを目的とする発明が開示されている。
【先行技術文献】
【特許文献】
【０００４】
【特許文献１】特開２０１５−２１１８３１号公報
【発明の概要】
【発明が解決しようとする課題】
【０００５】
特許文献１に係る発明は、関心画像を基準として保存範囲を決定し、関心画像を特定する情報と共に、決定された保存範囲に対応する動画像データを部分的に保存する保存機能（クリップ保存）を有している。また、上記の保存機能を用いる場合、関心画像の対応する時点を基準としてその前後期間に対応する動画像データを保存したり、所定のＧＵＩ（スライドバー等）で保存範囲を調整したりできる旨が同文献に開示されている。
【０００６】
ところで、一般的な医学界の学会発表において、発表者には所定の持ち時間が割り当てられており、学会発表用に施術内容を撮影した動画像データを埋め込んだスライド等を作成する場合、その動画像データの尺（時間長さ）を調整する編集作業を行うことが多い。
ここで、特許文献１に開示されている上記の保存機能を用いた場合、ユーザが必要とする映像内容（関心画像の前後部分）を含む動画像データを切り出した場合には、その動画像データの尺は一定になりがたく、時間調整の為の編集作業が別途必要になる点においては従来技術と相違しない。また、この課題は、資料作成に用いる動画像データが複数にわたる場合には、更に顕著になる。
【０００７】
本発明は、上記の課題に鑑みなされたものであり、医療用の動画ファイルの編集作業に関して、ユーザの作業負担を軽減することができる医療動画処理システムを提供するものである。
【課題を解決するための手段】
【０００８】
本発明によれば、施術が行われている施術期間の或る時点を始点として定められるタイムコードに対応付けて、前記施術期間の一部又は全部にわたって録画された複数の動画ファイルを記憶する記憶手段と、前記記憶手段に記憶されている動画ファイル及び動画ファイルに関する情報を表示する表示手段と、前記表示手段に表示されている動画ファイルに対応する前記タイムコード上の時間帯の一部又は全部であるセクションを、ユーザによる操作に基づいて任意に設定するセクション設定手段と、前記セクション設定手段によって設定された前記セクションの少なくとも一部に対応する一又は複数の動画ファイルを前記記憶手段から読み出し、読み出した動画ファイルが録画されている一又は複数の時間帯のうち該セクションと重複する時間帯であるセクション重複部分の時間長さを算出する算出手段と、前記算出手段による算出の対象になった前記セクション重複部分に含まれる前記タイムコードに対応する動画ファイルを部分的に切り出して所定の記憶領域に保存させる部分保存手段と、を備え、前記算出手段によって算出された前記セクション重複部分の時間長さが所定時間を超える場合の少なくとも一部において、前記部分保存手段は、前記所定の記憶領域に保存させる動画ファイルの時間長さを前記所定時間以下に短縮する短縮処理を行うことを特徴とする医療動画処理システムが提供される。
【０００９】
本発明によれば、ユーザは、表示手段に表示されている動画ファイルを視認しながら該動画ファイルのうち任意に指定した時間帯（セクション）のタイムコードに対応する動画ファイルを部分的に切り出して保存する編集作業が可能なので、所望の映像部分を確実に切り出すことができる。
また、本発明は、保存対象の動画ファイルが所定時間を超える場合に所定時間以下に短縮する機能を有しているので、各動画ファイルの時間長さを個別に調整する編集作業が不要である。
従って、本発明は、医療用の動画ファイルの編集作業に関して、ユーザの作業負担を軽減することができる。
【発明の効果】
【００１０】
本発明によれば、医療用の動画ファイルの編集作業に関して、ユーザの作業負担を軽減することができる医療動画処理システムが提供される。
【図面の簡単な説明】
【００１１】
【図１】本実施形態に係る医療動画処理システムを示す図である。
【図２】エンコーダの表示領域に表示される画面の具体例を示す図である。
【図３】エンコーダの表示領域に表示される画面の具体例を示す図である。
【図４】エンコーダの表示領域に表示される画面の具体例を示す図である。
【図５】視聴端末装置の表示領域に表示される画面の具体例を示す図である。
【図６】視聴端末装置の表示領域に表示される画面の具体例を示す図である。
【図７】視聴端末装置の表示領域に表示される画面の具体例を示す図である。
【図８】視聴端末装置の表示領域に表示される画面の具体例を示す図である。
【図９】視聴端末装置の表示領域に表示される画面の具体例を示す図である。
【図１０】タイムライン表示領域の一部を拡大した拡大図である。
【図１１】タイムライン表示領域の一部を拡大した拡大図である。
【図１２】タイムライン表示領域の一部を拡大した拡大図である。
【図１３】エディタ切替アイコンが操作された場合の付帯表示領域の表示の一部について具体例を示す図である。
【図１４】保存対象の動画ファイルを統合する処理に関する概念図である。
【発明を実施するための形態】
【００１２】
以下、本発明の実施形態について、図面を用いて説明する。なお、すべての図面において、同様の構成要素には同一の符号を付し、適宜に説明を省略する。
【００１３】
＜医療動画処理システム１００に含まれる各構成要素について＞
図１は、本実施形態に係る医療動画処理システム（以下、医療動画処理システム１００と称す）を示す図である。
なお、図１に図示される矢印は、各構成要素の間において授受される動画ファイルの出力元と入力先とを示すものである。従って、動画ファイル以外の情報やデータの授受については、必ずしも各矢印が示す内容と一致しなくてよい。
以下の説明において、動画ファイルとは、映像データのみから構成されるものであってもよく、映像データと音声データとを含むものであってもよい。
【００１４】
医療動画処理システム１００は、複数の撮影装置（カメラ１１１〜カメラ１１４）と、エンコーダ１２０と、サーバ装置１３０と、視聴端末装置１４０と、を備えている。
【００１５】
カメラ１１１〜カメラ１１４は、施術を受けている被施術者（患者）やその周辺を撮影して、動画ファイルを生成する撮影装置である。
例えば、カメラ１１１及びカメラ１１３は、施術の術野を撮影するものであり、カメラ１１１に比べてカメラ１１３の方が広い範囲を撮影する。また、カメラ１１２は心拍数モニタを撮影し、カメラ１１４は核磁気共鳴画像（magnetic resonance imaging：MRI）等を映し出したモニタを撮影し、カメラ１１２及びカメラ１１４は、施術の被施術者に関する生体情報を表示する生体情報モニタを撮影する点において共通している。
なお、ここで挙げたカメラ１１１〜カメラ１１４の数や撮影対象は例示であり、本発明の実施態様を制限するものではない。
【００１６】
エンコーダ１２０は、カメラ１１１〜カメラ１１４によって生成された動画ファイルに対してエンコード処理（符号化）を施し、サーバ装置１３０への転送および記憶に適した形式に当該動画ファイルを変換する。
なお、エンコーダ１２０は、圧縮処理を動画ファイルに施してサーバ装置１３０に記憶させることが好ましい。これにより、サーバ装置１３０に記憶される動画ファイルの容量を削減することができるからである。
【００１７】
エンコーダ１２０は、カメラ１１１〜カメラ１１４による撮影に関する制御を、ユーザの操作に基づいて行い、撮影により生成された施術に関する複数の動画ファイルを複数の入力系統（カメラ１１１〜カメラ１１４ごと）に分けて入力する。即ち、エンコーダ１２０は、本発明に係る動画入力手段を構成する。
ここで「カメラ１１１〜カメラ１１４による撮影に関する制御」とは、本実施形態においては、カメラ１１１〜カメラ１１４に動画の録画開始、録画の一時停止、録画停止及び静止画の撮影を実行させることである。
なお、ここで挙げたカメラ１１１〜カメラ１１４による撮影に関する制御の内容は例示であり、本発明の実施態様を制限するものではない。また、エンコーダ１２０は、複数の入力系統を備えているに過ぎず、本発明の実施において必ずしも全部の入力系統から動画ファイルを入力する必要はない。従って、作動している撮影装置の数に応じて、エンコーダ１２０が入力する動画ファイルの数も減少し、当然ながら入力する動画ファイルが単一である場合もありうる。
【００１８】
サーバ装置１３０は、エンコーダ１２０から転送された動画ファイルを記憶する。より詳細には、サーバ装置１３０は、施術が行われている施術期間の或る時点を始点として定められるタイムコードに対応付けて、施術期間の一部又は全部にわたって録画された複数の動画ファイルを記憶する。即ち、サーバ装置１３０は、本発明に係る記憶手段を構成する。
ここでタイムコードとは、動画ファイルに対応付けられる時系列情報（動画ファイルを構成するフレームの順序情報）であり、フレームごとに与えられることが好ましい。タイムコードの始点は、施術が行われている期間内においてエンコーダ１２０のユーザ（例えば、施術者やその補助者）が任意に定めてもよいし、施術の開始時点を表す信号を外部装置（図示せず）から入力し、当該信号をトリガとして定めてもよい。
【００１９】
視聴端末装置１４０は、サーバ装置１３０に記憶されている動画ファイルを再生及び編集する為のアプリケーションソフトがインストールされているコンピュータ機器である。
視聴端末装置１４０は、サーバ装置１３０に記憶されている動画ファイルにアクセスし、共通のタイムコードに対応付けられた一又は複数の動画ファイルを表示し、更に表示中の動画ファイルに関する情報も合わせて表示することができる。即ち、視聴端末装置１４０は、本発明に係る表示手段を構成する。
また、視聴端末装置１４０は、自機に対するユーザの操作入力を受け付けて、受け付けた操作入力に基づいて後述の各種処理を実行することができる。
なお、以下の説明において「動画ファイルの表示」と「動画ファイルの再生」とは概ね同義であり、特に区別無く用いる。
【００２０】
図１においては、視聴端末装置１４０が単一であるかのように図示しているが、医療動画処理システム１００に複数の視聴端末装置１４０が設けられていてもよい。また、視聴端末装置１４０にインストールされているアプリケーションソフトは、必ずしも本発明専用のアプリケーションソフトによって実現されなくてもよく、汎用のアプリケーションソフト（例えば、インターネットブラウザ）やこれを改良又は変更したソフトによって実現されてもよい。
【００２１】
サーバ装置１３０は、視聴端末装置１４０が受け付けた操作入力に基づいて、視聴端末装置１４０の表示領域に表示されている動画ファイルに関する編集処理を実行することができる。
ここで、編集処理を実行するサーバ装置１３０は、視聴端末装置１４０（表示手段及び操作入力手段）とは個別の装置として実現されている。なぜならば、仮に視聴端末装置１４０において編集処理を実行可能とすると、編集対象の動画ファイルをサーバ装置１３０から視聴端末装置１４０に転送した後に編集処理を実行する必要がある。このようなシステム構成にすると、医療動画処理システム１００（サーバ装置１３０）における動画ファイルの管理について十分な安全性を確保することが困難となり、不適切な動画ファイルの流出を招く可能性もある。
医療用の動画ファイルは秘匿性の高い個人情報であり、該動画ファイルの外部流出を防止するため、本実施形態における医療動画処理システム１００は上記のような構成を採用している。
【００２２】
＜エンコーダ１２０の操作について＞
続いて、エンコーダ１２０の操作について、図２〜図４を用いて説明する。
図２〜図４は、エンコーダ１２０の表示領域に表示される画面の具体例を示す図である。図２は、録画する前のエンコーダ１２０の表示領域を示す図である。図３は、録画中のエンコーダ１２０の表示領域を示す図である。図４は、録画中に拡張画面を表示した場合のエンコーダ１２０の表示領域を示す図である。
【００２３】
エンコーダ１２０の表示領域は、グラフィカルユーザインターフェース（Graphical User Interface：GUI）として機能し、表示上のアイコン等を、エンコーダ１２０に付設されている不図示の入力装置（マウスやキーボード等）を用いて操作することによって、ユーザはエンコーダ１２０を操作することができる。また、エンコーダ１２０の表示領域がタッチパネルである場合には、当該表示領域自体が入力装置として機能する。
【００２４】
エンコーダ１２０の表示領域には、入力画面１２０１と、出力画面１２０２と、状態表示１２０３と、が表示される。
入力画面１２０１は、カメラ１１１〜カメラ１１４から入力した動画ファイルのいずれかを再生する画面である。例えば、図２〜図４には、カメラ１１１から入力した動画ファイルが入力画面１２０１に再生されている状態が図示されている。
出力画面１２０２は、エンコーダ１２０からサーバ装置１３０に出力する動画ファイルを再生する画面である。エンコーダ１２０による出力形式には、録画形式（入力した動画ファイルをサーバ装置１３０に記憶させる出力形式）、ライブ形式（入力した動画ファイルを視聴端末装置１４０にライブ配信可能に出力する形式）及び録画形式及びライブ形式の組み合わせの三パターンが含まれる。なお、図３及び図４に図示するエンコーダ１２０の表示領域は、エンコーダ１２０が録画形式で動画ファイルを出力している場合のものである。
状態表示１２０３は、その時点において出力画面１２０２に再生されている動画ファイル、即ちサーバ装置１３０に出力されている動画ファイルの状態を表示している。具体的には、状態表示１２０３は、いずれの出力形式で動画ファイルが出力されているか、出力している時間、出力した動画ファイルのデータ容量等が表示される。
【００２５】
エンコーダ１２０の表示領域には、録画開始ボタン１２０４と、録画停止ボタン１２０５と、静止画撮影ボタン１２０６と、録画一時停止ボタン１２０７と、が表示される。
録画開始ボタン１２０４は、入力画面１２０１に再生されている動画ファイルの録画（サーバ装置１３０への記憶処理）を開始する契機となる操作を受け付けるボタンである。
録画停止ボタン１２０５は、動画ファイルの録画（サーバ装置１３０への記憶処理）を停止する契機となる操作を受け付けるボタンである。
静止画撮影ボタン１２０６は、入力画面１２０１に再生されている動画ファイルの１フレームを、静止画としてサーバ装置１３０に記憶させる契機となる操作を受け付けるボタンである。
録画一時停止ボタン１２０７は、動画ファイルの録画（サーバ装置１３０への記憶処理）を一時停止する契機となる操作、又は一時停止を解除する契機となる操作を受け付けるボタンである。
なお、録画開始ボタン１２０４は動画ファイルを録画している期間（録画を一時停止している期間を含む）において表示されず、録画一時停止ボタン１２０７は動画ファイルを録画していない期間において表示されない。従って、録画していない期間に録画開始ボタン１２０４を操作した場合には録画開始ボタン１２０４は録画一時停止ボタン１２０７に置換され、録画している期間に録画停止ボタン１２０５を操作した場合には録画一時停止ボタン１２０７は録画開始ボタン１２０４に置換される。
【００２６】
エンコーダ１２０の表示領域には、施術情報表示１２０８と、出力情報表示１２０９と、が表示される。
施術情報表示１２０８は、入力画面１２０１に再生されている動画ファイルに係る施術に関連する情報、具体的には、被施術者（患者）の識別番号と名前、施術者の名前、診療科の名称、施術を行っている場所の名称等を表示している。施術者の名前、診療科の名称については、施術情報表示１２０８に対するユーザの操作入力によって選択することができる。施術情報表示１２０８に表示される情報のうち、ユーザの操作入力を要さない情報については不図示の外部システム（例えば、電子カルテシステム等）からインポートしてもよい。
出力情報表示１２０９は、出力画面１２０２に再生されている動画ファイルのファイル形式、動画ファイルの再生と共に音声出力しているか否か、いずれの出力形式でサーバ装置１３０に出力しているか、を表示している。なお、ここで挙げた出力情報表示１２０９に表示される情報は、出力情報表示１２０９に対するユーザの操作入力によって選択することができる。
【００２７】
エンコーダ１２０の表示領域には、拡張表示作動ボタン１２１０と、拡張表示停止ボタン１２１４と、が表示される。
拡張表示作動ボタン１２１０は、入力画面１２０１又は出力画面１２０２に再生している動画ファイルとは別の入力系統から入力した動画ファイルを再生する拡張表示領域をオンにする契機となる操作を受け付けるボタンである。例えば、図４には、拡張表示領域にカメラ１１２から入力した動画ファイルをサブ画面１２１１に、カメラ１１３から入力した動画ファイルをサブ画面１２１２に、カメラ１１４から入力した動画ファイルをサブ画面１２１３に表示している状態を図示している。当該状態において、拡張表示領域において再生される動画ファイルを録画している場合には、録画一時停止ボタン１２０７と同様のアイコンが当該動画ファイルに重畳して表示され、当該アイコンを操作すると録画が一時停止となる。また、当該状態において、拡張表示領域において再生される動画ファイルを録画していない場合には、録画開始ボタン１２０４と同様のアイコンが当該動画ファイルに重畳して表示され、当該アイコンを操作すると録画が開始される。
拡張表示停止ボタン１２１４は、上記の拡張表示領域が表示されている場合において表示され、拡張表示領域をオフにする契機となる操作を受け付けるボタンである。
【００２８】
＜視聴端末装置１４０における同期表示について＞
続いて、視聴端末装置１４０における同期表示について、図５〜図１２を用いて説明する。
図５〜図９は、視聴端末装置１４０の表示領域に表示される画面の具体例を示す図である。より詳細には、図５は、同期表示領域ＤＡ１において一つの動画ファイルをメイン画面で再生し、他の動画ファイルをサブ画面で再生する表示態様を示す図である。図６は、同期表示領域ＤＡ１を四分割して、それぞれに４つの動画ファイルを再生する表示態様を示す図である。図７は、同期表示領域ＤＡ１のメイン画面にカーソルを合わせた状態を示す図である。図８は、同期表示領域ＤＡ１のメイン画面の下方に表示される静止画像にカーソルを合わせた状態を示す図である。図９は、同期表示領域ＤＡ１のサブ画面にカーソルを合わせた状態を示す図である。
図１０〜図１２は、タイムライン表示領域ＤＡ３の一部を拡大した拡大図である。より詳細には、図１０は、タイムライン表示領域ＤＡ３の左方部分を拡大した拡大図である。図１１は、タイムライン表示領域ＤＡ３の中央部分を拡大した拡大図である。図１２は、タイムライン表示領域ＤＡ３の右方部分を拡大した拡大図である。
【００２９】
視聴端末装置１４０の表示領域は、グラフィカルユーザインターフェースとして機能し、表示上のアイコン等を、視聴端末装置１４０に付設されている不図示の入力装置を用いて操作することによって、ユーザは視聴端末装置１４０を操作することができる。また、視聴端末装置１４０の表示領域がタッチパネルである場合には、当該表示領域自体が入力装置として機能する。
なお、以下の説明において、入力装置による操作対象を示すカーソルを、ポインタ１４０１と呼称する。
【００３０】
視聴端末装置１４０の表示領域には、同期表示領域ＤＡ１と、付帯表示領域ＤＡ２と、タイムライン表示領域ＤＡ３と、が含まれる。
なお、図５〜図９において破線で示す範囲は、ここで列挙した表示領域の範囲を示すものであり、実際に視聴端末装置１４０の表示領域に表示されるものではない。
【００３１】
同期表示領域ＤＡ１は、タイムライン表示領域ＤＡ３に表示されているタイムラインに対応する複数の動画ファイルに含まれる画像のうち、タイムライン表示領域ＤＡ３に表示されているタイムラインに含まれる或る時点のタイムコードに対応付いている複数の画像を同期表示する。
例えば、ユーザの操作入力によって分割態様選択部１４２５の左側のアイコン（図１２参照）が選択された場合、同期表示領域ＤＡ１は、カメラ１１１から入力した動画ファイルをメイン画面に表示し、カメラ１１２〜カメラ１１４から入力した動画ファイルをサブ画面で表示する（図５参照）。
或いは、ユーザの操作入力によって分割態様選択部１４２５の右側のアイコンが選択された場合、同期表示領域ＤＡ１は、カメラ１１１〜カメラ１１４から入力した４つの動画ファイルを、均等な表示領域に四分割して表示する（図６参照）。
【００３２】
同期表示領域ＤＡ１において、複数の動画ファイルを同期して再生しようとすると、各動画のビットレートの違いにより、動画の開始や再生において、読み込み時間に差異が生じる。そして、その読み込み時間の差異の大きさは、サーバ装置１３０、視聴端末装置１４０及びこれらを接続するネットワーク回線（不図示）の処理能力等に影響を受けるため、一定にはならない。そこで、視聴端末装置１４０において、各画面における動画ファイルを再生する機能（以後、再生プレイヤーと称する）の間でバッファ時間に関するコミュニケーションを行い、上記の問題を解決している。
例えば、一の画面（例えばメイン画面）で動画ファイルを再生する場合、最初の段階で該動画ファイルの全データを読み込まず、例えば最初の５秒間だけを読み込み、それを再生している間に次の５秒間を読み込む。これを順次繰り返すことによって、切れ目の無い再生を実現している。
このような所定時間分のデータをバッファに記憶させる時間を利用し、例えば、一の画面（例えばメイン画面）と他の画面（例えばサブ画面）で同時に再生を開始する場合に、メイン画面の再生プレイヤーが動画ファイルの５秒分のデータを読み込みが終わった段階でメイン画面の再生プレイヤーからサブ画面の再生プレイヤーにその旨を通知し、その通知をもって双方の再生が開始されるように構成している。
なお、このような通知は、複数の再生プレイヤーで同時に再生を開始する場合に限られず、一の再生プレイヤーにおいて動画ファイルが再生されている最中に他の再生プレイヤーで動画ファイルの再生が開始される場合、複数の再生プレイヤーにおいて動画ファイルが再生されている最中に一部の再生プレイヤーで動画ファイルの再生が途切れる（録画していない時間帯になる）場合等において、更に行われてもよい。
【００３３】
付帯表示領域ＤＡ２は、その表示領域内に設けられているビューア切替アイコン１４２８及びエディタ切替アイコン１４２９をポインタ１４０１で操作することによって、その表示領域内に表示される内容が選択的に変化する。
【００３４】
ビューア切替アイコン１４２８を操作した場合、付帯表示領域ＤＡ２は、同期表示領域ＤＡ１に表示されている動画ファイルに関連する情報をサーバ装置１３０や不図示の他の装置（又はシステム）から取得して選択的に表示する。
例えば、付帯表示領域ＤＡ２において「イベント」タグが選択されている場合（図５等に図示されている状態）、麻酔投与を管理している不図示の外部システムから入力した施術に関するイベント情報（手術の開始や麻酔投与の開始等）及び該イベント情報に対応する時刻情報が、付帯表示領域ＤＡ２に表示される。
或いは、付帯表示領域ＤＡ２において「コメント」タグが選択されている場合（図８に図示されている状態）、後述するキャプチャ処理によって取り込んだ静止画像に対応する時刻（タイムコード）及び該静止画像に対してユーザが付けたコメントが、付帯表示領域ＤＡ２に表示される。
或いは、付帯表示領域ＤＡ２において「術式」タグが選択されている場合（図示せず）、同期表示領域ＤＡ１に同期表示中の動画ファイルと同じ術式によってサーバ装置１３０に記録されている動画ファイルや該動画ファイルに関連する情報が、付帯表示領域ＤＡ２に表示される。
或いは、付帯表示領域ＤＡ２において「診断名」タグが選択されている場合（図示せず）、同期表示領域ＤＡ１に再生中の動画ファイルと同じ診断名によってサーバ装置１３０に記録されている動画ファイルや該動画ファイルに関連する情報が、付帯表示領域ＤＡ２に表示される。
或いは、付帯表示領域ＤＡ２において「同じ患者の動画」タグが選択されている場合（図示せず）、同期表示領域ＤＡ１に再生中の動画ファイルと同じ患者ＩＤに関連付けられてサーバ装置１３０に記録されている動画ファイルや該動画ファイルに関連する情報が、付帯表示領域ＤＡ２に表示される。
なお、ここで列挙した付帯表示領域ＤＡ２に表示される情報は例示であって、ここで挙げた以外の情報が付帯表示領域ＤＡ２に表示されてもよいし、ここで挙げた情報の少なくとも一部が表示されなくてもよい。また、付帯表示領域ＤＡ２に種々の情報を表示する際のレイアウトについても各図に図示したものは例示であって、本発明の実施にあたって付帯表示領域ＤＡ２のレイアウトは図示したものに制限されない。
【００３５】
不図示の外部システムから入力されるイベント情報及び時刻情報はサーバ装置１３０に入力されて、施術に関する動画ファイルに関連付けられて該動画ファイルと共にサーバ装置１３０に蓄積される。
【００３６】
図５と図６とを比べれば明らかであるように、同期表示領域ＤＡ１と付帯表示領域ＤＡ２とは、メイン画面とサブ画面とに分割表示する場合と均等に四分割する場合とでは視聴端末装置１４０の表示領域を占有する割合が異なり、前者の場合に比べて後者の場合の方が、同期表示領域ＤＡ１が狭くなり、付帯表示領域ＤＡ２が広くなる。
【００３７】
エディタ切替アイコン１４２９を操作した場合、付帯表示領域ＤＡ２は、同期表示領域ＤＡ１に表示されている動画ファイルに対する編集処理に関連する情報や、その編集処理のための操作アイコン等を表示する。
この場合における付帯表示領域ＤＡ２の表示内容や編集処理に関する操作等については、後で詳細に説明するため、ここでの説明は省略する。
【００３８】
タイムライン表示領域ＤＡ３は、同期表示領域ＤＡ１に表示されている動画ファイルに対応するタイムコード上の時間帯を表すタイムラインを表示する表示領域である。より詳細には、タイムライン表示領域ＤＡ３は、施術に関する複数の動画ファイルに対応するタイムラインを、入力系統ごと（カメラ１１１〜カメラ１１４ごと）に分けて表示する。
ここでタイムラインとは、線状又は帯状の表示であり、動画ファイルがどの時間帯に録画されているか、又は動画ファイルがどの時間帯に録画されていないか、を表すものである。
タイムライン表示領域ＤＡ３に表示されるタイムラインは、当該タイムラインに係る動画ファイルに対応付いているタイムコードを基準として表示されることが好ましい。また、各タイムラインは、識別可能に別々の表示態様（例えば、それぞれ色彩が異なる等）であることが好ましい。
【００３９】
タイムライン表示領域ＤＡ３には、タイムラインの他に、タイムラインに重畳するように、同期表示領域ＤＡ１において同期表示されている時点を示すカーソル１４１４が表示される（図１０参照）。
本実施形態におけるカーソル１４１４は、その時点（時刻と録画開始時からの経過時間の両方）を表示する窓枠と複数の入力系統に跨がる線状の表示とから構成されている。
カーソル１４１４は、同期表示領域ＤＡ１において同期表示されている時点を示す役割のみならず、例えば、ユーザの操作によって時間軸に沿って左右にスライドさせることによって、ユーザの任意の時点における動画ファイルを同期表示領域ＤＡ１において同期表示させる機能を更に備えている。
【００４０】
タイムライン表示領域ＤＡ３に表示されるタイムラインの上下にはタグ表示が表示される。
ここでタイムラインの上方に表示されるタグ表示は、付帯表示領域ＤＡ２の「イベント」タグが選択されている場合に表示されるイベント情報に対応付いている時刻（タイムコード）をタイムライン上に示すものである。例えば、図１０におけるタグ表示１４１３は、カメラ１１１に関するタイムライン（「Ｖｉｄｅｏ．１」と図示されるタイムライン）の上方に付されるタグ表示であり、図７に図示されている「16:50:15  手術開始」というイベント情報１４１２に対応付いている。
そして、タイムラインの下方に表示されるタグ表示は、付帯表示領域ＤＡ２の「コメント」タグが選択されている場合に表示されるコメント情報に対応付いている時刻（タイムコード）を示すものである。例えば、図１０におけるタグ表示１４１５は、カメラ１１１に関するタイムラインの下方に付されるタグ表示であり、図８に図示されている「17:04:08  カンファレンス１」というコメント情報１４０７及び同時刻の静止画像１４０４（後述するキャプチャ処理によって取り込んだもの）に対応付いている。
なお、上記のタグ表示が付されるタイムラインは、本実施形態の各図では「Ｖｉｄｅｏ．１」に係るタイムライン（カメラ１１１に関するタイムライン）のみであるかのように図示されているが、他のタイムライン（カメラ１１２〜１１４に関するタイムライン）を対象としてタグ表示が付されてもよい。
【００４１】
上記のタグ表示は、サーバ装置１３０による処理によって対象のタイムラインに付されるものである。
サーバ装置１３０は、視聴端末装置１４０に対するユーザの操作入力（具体的には後述するキャプチャアイコン１４２６の操作）を契機として、タイムライン表示領域ＤＡ３に表示されているタイムラインに含まれる或る時点のタイムコードに対応付けて、該タイムラインの下方に対してタグ表示を付す処理（以下、第一タグ処理）を実行する。
また、サーバ装置１３０は、不図示の外部システムから入力したイベント情報及び時刻情報に基づいて、タイムライン表示領域ＤＡ３に表示されているタイムラインに含まれる或る時点のタイムコードに対応付けて、該タイムラインの上方にタグ表示を付す処理（以下、第二タグ処理）を実行する。
【００４２】
タイムラインの上下のいずれに付されるタグ表示についても、ポインタ１４０１で指定することによって、同期表示領域ＤＡ１に同期表示されている時点を、指定したタグ表示に対応付いている時刻（タイムコード）に変更することができる。このとき、カーソル１４１４の表示位置も、該時刻に対応する位置まで移動する。
【００４３】
タイムラインの上下のいずれに付されるタグ表示についても、そのタグ表示が示す時刻（タイムコード）と、カーソル１４１４が示す時点（同期表示領域ＤＡ１において同期表示されている時点）と、が一致した場合、その時刻に対応付いているイベント情報又はコメント情報が、そのタグ表示が付されているタイムラインに対応する入力系統の動画ファイルの表示領域に重畳して表示される。
【００４４】
メイン画面とサブ画面とに分割表示する場合、ポインタ１４０１をメイン画面に重畳させると、全画面表示アイコン１４０２がメイン画面中央に表示され、メイン画面に再生中の動画に対応する入力系統を示す入力系統表示１４０３がメイン画面右上隅部に表示され、メイン画面に再生中の動画ファイルから取り込んだ静止画像（後述するキャプチャ処理によって取り込んだもの）がメイン画面の下部に表示される（図７参照）。
このとき、ポインタ１４０１で全画面表示アイコン１４０２を操作することによって、メイン画面に再生中の動画が全画面表示になる（不図示）。
【００４５】
また、上記の場合において、メイン画面の下部に表示された静止画像（例えば、静止画像１４０４）にポインタ１４０１を重畳させると、コメント編集アイコン１４０５及び削除アイコン１４０６が、その静止画像１４０４の表示領域上に表示される。そして、静止画像１４０４に対応付けられているコメント情報１４０７と同様のコメント情報１４０８がメイン画面上に表示される（図８参照）。
コメント編集アイコン１４０５をポインタ１４０１で操作すると、対象の静止画像１４０４に対応付けられているコメント情報１４０７を編集（従前に入力されたコメント情報を変更）することができる。
削除アイコン１４０６をポインタ１４０１で操作すると、対象の静止画像１４０４と、これに対応付けられているコメント情報１４０７が削除されて、視聴端末装置１４０の表示領域から消滅する。
【００４６】
メイン画面とサブ画面とに分割表示する場合、ポインタ１４０１をサブ画面に重畳させると、全画面表示アイコン１４０９と表示切替アイコン１４１０がサブ画面に表示され、サブ画面に再生中の動画に対応する入力系統を示す入力系統表示１４１１がサブ画面右上隅部に表示される（図９参照）。
このとき、ポインタ１４０１で全画面表示アイコン１４０９を操作することによって、サブ画面に再生中の動画が全画面表示になる（不図示）。
また、このとき、ポインタ１４０１で表示切替アイコン１４１０を操作することによって、サブ画面に再生中の動画がメイン画面に再生中の動画と入れ替わる（不図示）。
【００４７】
タイムライン表示領域ＤＡ３の左下部には、再生速度選択アイコン１４１６が配設されている（図１０参照）。
再生速度選択アイコン１４１６は、同期表示領域ＤＡ１で同期表示中の動画の再生速度を選択するための操作アイコンである。
より詳細には、再生速度選択アイコン１４１６は、図１０に図示している左側から順に「０．５倍速」「等倍速」「１．５倍速」「２倍速」「４倍速」「６倍速」「８倍速」を選択するための操作アイコンである。
なお、ここで列挙した再生速度の選択肢は一具体例であって、本発明の実施においては適宜変更可能である。
【００４８】
タイムライン表示領域ＤＡ３の中央下部には、再生コントロール用の操作アイコンが配設されている（図１１参照）。
先ジャンプアイコン１４１７は、カーソル１４１４の表示位置（同期表示領域ＤＡ１に同期表示されている時点）を、その表示位置より先行側の最寄りの「コメント」タグの表示位置にジャンプさせるための操作アイコンである。
３０秒戻しアイコン１４１８は、同期表示領域ＤＡ１に同期表示されている時点を、３０秒前の時点に変更するための操作アイコンである。
１０秒戻しアイコン１４１９は、同期表示領域ＤＡ１に同期表示されている時点を、１０秒前の時点に変更するための操作アイコンである。
再生アイコン１４２０は、同期表示領域ＤＡ１において動画ファイルの再生を開始させるための操作アイコンである。
停止アイコン１４２１は、同期表示領域ＤＡ１における動画ファイルの再生を停止させるための操作アイコンである。
１０秒送りアイコン１４２２は、同期表示領域ＤＡ１に同期表示されている時点を、１０秒後の時点に変更するための操作アイコンである。
３０秒送りアイコン１４２３は、同期表示領域ＤＡ１に同期表示されている時点を、３０秒後の時点に変更するための操作アイコンである。
後ジャンプアイコン１４２４は、カーソル１４１４の表示位置（同期表示領域ＤＡ１に同期表示されている時点）を、その表示位置より後続側の最寄りの「コメント」タグの表示位置にジャンプさせるための操作アイコンである。
なお、ここで列挙した再生コントロール用の操作アイコンは例示であって、ここで挙げた以外の再生コントロール用の操作アイコンが設けられてもよいし、ここで挙げた再生コントロール用の操作アイコンの少なくとも一部が省かれてもよい。
また、ここで列挙した再生コントロール用の操作アイコンに関する機能は例示であって、本発明の実施にあたって同様の表示態様で設けられる操作アイコンが別の機能を実現してもよい。例えば、先ジャンプアイコン１４１７又は後ジャンプアイコン１４２４は、カーソル１４１４の表示位置を、その表示位置より先行側又は後続側の最寄りの「イベント」タグの表示位置にジャンプさせるものであってもよい。
【００４９】
タイムライン表示領域ＤＡ３の右下部には、以下のような操作アイコンが配設されている（図１２参照）。
分割態様選択部１４２５は、左側のアイコンを操作すると同期表示領域ＤＡ１がメイン画面とサブ画面とに分割され（図５参照）、右側のアイコンを操作すると同期表示領域ＤＡ１が四分割される（図６参照）。
時間軸選択アイコン１４２７は、タイムライン表示領域ＤＡ３における時間軸（横軸）の単位時間（本実施形態では１分）の表示幅を拡縮する操作を受け付けるボタンである。より詳細には、時間軸選択アイコン１４２７は、図１２に図示される左側から順に、タイムライン表示領域ＤＡ３における時間軸の単位時間の表示幅を最大にする操作アイコン、該表示幅を一段階広げる操作アイコン、該表示幅を一段階狭める操作アイコン、該表示幅を最小にする操作アイコンである。
キャプチャアイコン１４２６は、キャプチャ処理の契機となる操作を受け付けるボタンである。ここでキャプチャ処理とは、同期表示領域ＤＡ１に表示されている動画ファイルに含まれる画像（具体的にはキャプチャアイコン１４２６の操作時に表示されている画像）を、静止画像として切り出す処理である。
上記のキャプチャ処理が実行される場合、サーバ装置１３０は、該画像に対応するタイムコードに対応付けて該タイムラインの下方にタグ表示を付す処理（第一タグ処理）と共に、任意のコメント情報を入力可能なコメント入力欄（不図示）を表示させ、該画像と該タグ表示が示すタイムコードに対応付けて、上記のコメント入力欄に入力されたコメント情報を記憶する。
【００５０】
＜同期表示される動画ファイルの編集処理について＞
続いて、同期表示領域ＤＡ１において同期表示される動画ファイルの編集処理について、図１３及び図１４を用いて説明する。
図１３は、エディタ切替アイコン１４２９が操作された場合の付帯表示領域ＤＡ２の表示の一部について具体例を示す図である。図１４は、保存対象の動画ファイルを統合する処理に関する概念図である。
【００５１】
エディタ切替アイコン１４２９を操作した場合、付帯表示領域ＤＡ２の「セクション」タグには、以下のようなものが表示される（図１３参照）。
【００５２】
セクション表示部１４４０は、後述するセクション追加アイコン１４４６等の操作アイコンに対する操作に基づいて従前に設定されたセクションを表示する。ここでセクションとは、同期表示領域ＤＡ１に表示されている動画ファイルに対応するタイムコード上の時間帯の一部又は全部である。具体的なセクションの設定方法については、セクション追加アイコン１４４６や他の操作アイコンについて説明する際に述べるので、ここでの説明は省略する。
図１３に図示する例でいえば、セクション表示部１４４０は、録画されている全時間帯を無地のタイムラインで表し、設定された各セクションが該全時間帯のうちどの時間帯に該当するものであるかを斜線部で表している。ここで「録画されている全時間帯」とは、施術が行われている期間においてカメラ１１１〜１１４のうち少なくとも一つが撮影している時間帯を合わせたものをいう。本実施形態においては、カメラ１１１から入力される動画ファイルは、施術が行われている期間を通して録画されているものであるため、該動画ファイルに関するタイムライン（図５等において「Ｖｉｄｅｏ．１」と図示されるタイムライン）が表す時間帯が「録画されている全時間帯」に等しい。即ち、セクション表示部１４４０におけるタイムラインの無地の部分は、同期表示領域ＤＡ１に表示される「Ｖｉｄｅｏ．１」の動画ファイルの録画時間と同等の時間長さを表すものである。
【００５３】
入力系統指定ボックス１４４１は、同期表示領域ＤＡ１に表示されている動画ファイルに対応する複数の入力系統の一部又は全部を、ユーザによる操作に基づいて任意に指定する為に設けられたチェックボックスである。即ち、入力系統指定ボックス１４４１は、本発明の入力系統指定手段を構成する。
より詳細には、入力系統指定ボックス１４４１は、セクション表示部１４４０に表示されている各セクション（斜線部で表す時間帯）において、そのセクションを対象とする入力系統（カメラ１１１〜カメラ１１４）を指定することができる。例えば、「Ｖ１」「Ｖ２」「Ｖ３」「Ｖ４」と表記されているチェックボックスをチェックすると、それぞれカメラ１１１、カメラ１１２、カメラ１１３、カメラ１１４から入力した動画ファイルが対象となる。各チェックボックスは、ポインタ１４０１による操作でユーザが任意でチェックしたりチェックを外したりすることができる。
なお、本実施形態では、後述するように（図１３に図示するように）、各セクションにおいてチェックボックスに対応する入力系統（例えば、「Ｖ３」に係る入力系統）の動画ファイルが存在しない場合であっても入力系統指定ボックス１４４１を指定可能としているが、そのチェックボックスがチェック不能となるように構成され、無用な指定ができないようにしてもよい。
【００５４】
セクション番号表示部１４３６は、後述するセクション追加アイコン１４４６の操作を契機として設定された一又は複数のセクション（即ち、セクション表示部１４４０に表示されているセクション）を、ユーザによる操作に基づいて任意に指定する為に設けられたチェックボックスである。即ち、セクション番号表示部１４３６は、本発明のセクション指定手段を構成する。
より詳細には、セクション番号表示部１４３６は、そのセクションの識別番号（例えば「＃１」〜「＃３」等と表記されるもの）と、そのセクションを指定するチェックボックスと、を含む。セクション番号表示部１４３６に含まれるチェックボックスは、後述するセクション削除アイコン１４４７やダウンロードアイコン１４４８の操作に応じた処理に用いられる。
個別ダウンロードアイコン１４３８は、そのセクションに含まれるタイムコードに対応する動画ファイル（即ち、セクション表示部１４４０に表示されているタイムラインのうち斜線部が表す時間帯における動画ファイル）を指定の保存先（後述する保存先チェックボックス１４４５で指定された記憶領域）に保存させる操作を受け付ける操作アイコンである。個別ダウンロードアイコン１４３８の操作に応じて保存される動画ファイルは、セクション表示部１４４０に表示されているセクションに対応しており、且つ、入力系統指定ボックス１４４１で指定されている入力系統の動画ファイルである。
個別再生アイコン１４３７は、そのセクションに含まれるタイムコードに対応する動画ファイルを同期表示領域ＤＡ１に同期表示させる操作を受け付ける操作アイコンである。個別再生アイコン１４３７の操作に応じて同期表示される動画ファイルは、セクション表示部１４４０に表示されているセクションに対応しており、且つ、入力系統指定ボックス１４４１で指定されている入力系統の動画ファイルである。
【００５５】
保存動画時間表示部１４３９は、セクション重複部分の時間長さを表示する。より詳細には、保存動画時間表示部１４３９は、入力系統ごとにセクション重複部分の時間長さを表示する。
ここでセクション重複部分とは、従前に設定されたセクションの少なくとも一部（具体的には、セクション番号表示部１４３６によって指定されたセクション）に対応する一又は複数の動画ファイルをサーバ装置１３０から読み出した場合に、読み出した動画ファイルが録画されている一又は複数の時間帯のうち該セクションと重複する時間帯である。なお、セクション重複部分の時間長さを算出する処理自体はサーバ装置１３０が実行するものであるため、本発明に係る算出手段はサーバ装置１３０によって実現される。
【００５６】
図１３の例にならえば、入力系統指定ボックス１４４１の「Ｖ１」において「＃１」〜「＃３」のセクションに対応するチェックボックスがチェックされている為、保存動画時間表示部１４３９の「Ｖ１ Ｔｏｔａｌ」には指定された３つのセクションに係るセクション重複部分の時間長さ（３２分１０秒）が表示される。ここで「Ｖ１」に係る入力系統（カメラ１１１からの入力）については、施術期間の全時間帯にわたって録画されているものである為、保存動画時間表示部１４３９の「Ｖ１ Ｔｏｔａｌ」に表示されているセクション重複部分の時間長さと、「＃１」〜「＃３」のセクションの総時間とが等しくなる。
次に、入力系統指定ボックス１４４１の「Ｖ２」においても、「Ｖ１」と同様に、「＃１」〜「＃３」のセクションに対応するチェックボックスがチェックされている為、保存動画時間表示部１４３９の「Ｖ２ Ｔｏｔａｌ」には指定された３つのセクションに係るセクション重複部分の時間長さ（２２分１０秒）が表示される。ここで「Ｖ２」に係る入力系統（カメラ１１２からの入力）については、動画ファイルが録画されている時間帯が施術期間において分散している為、保存動画時間表示部１４３９の「Ｖ２ Ｔｏｔａｌ」に表示されているセクション重複部分の時間長さは、「＃１」〜「＃３」のセクションの総時間より短くなる。
次に、入力系統指定ボックス１４４１の「Ｖ３」においては「＃２」のセクションに対応するチェックボックス、及び入力系統指定ボックス１４４１の「Ｖ４」においては「＃１」と「＃２」のセクションに対応するチェックボックスがチェックされている為、保存動画時間表示部１４３９の「Ｖ３ Ｔｏｔａｌ」と「Ｖ４ Ｔｏｔａｌ」には、各々について指定されたセクションに係るセクション重複部分の時間長さ（０分０秒と３分２０秒）が表示される。ここで「Ｖ３」に係る入力系統（カメラ１１３からの入力）については、「＃２」のセクションに対応する動画ファイルが存在しない（該セクションにおいて録画されていない）為、保存動画時間表示部１４３９の「Ｖ３ Ｔｏｔａｌ」に表示されているセクション重複部分の時間長さは０分０秒になっている。
【００５７】
なお、図１３に図示するとおり、「＃２」のセクションと「＃３」のセクションは一部の時間帯について重複している。このような場合、本実施形態における保存動画時間表示部１４３９に表示される時間長さ（算出手段によって算出される時間長さ）は、双方のセクションを個別のセクションとして扱い、相互に重複する時間帯を考慮に入れないものとする。この詳細については、後に説明する。
【００５８】
保存動画時間表示部１４３９において表示される各入力系統に係るセクション重複部分の時間長さの右側には、該当する入力系統に対して後述する部分保存処理が実行される際に後述する短縮処理を実行する場合の目標である所定時間が表示される短縮目標時間表示部１４４９〜１４５２が設けられている。
短縮目標時間表示部１４４９〜１４５２の詳細については、後に説明する。
【００５９】
開始終了入力欄１４４４は、新たに追加したいセクションの開始時点及び終了時点の入力を受け付ける表示欄である。開始終了入力欄１４４４は、左側から順に、「時間」単位で数値を入力する欄と、「分」単位で数値を入力する欄と、「秒」単位で数値を入力する欄と、から構成される。開始終了入力欄１４４４の各欄には、不図示の操作手段（例えば、キーボード等）に対するユーザの操作入力に基づいて、ユーザが任意の数値を入力することができる。
開始時点設定アイコン１４４２は、カーソル１４１４の表示位置（同期表示領域ＤＡ１に同期表示されている時点）を、開始終了入力欄１４４４における開始時点の表示欄に入力する操作を受け付ける操作アイコンである。
終了時点設定アイコン１４４３は、カーソル１４１４の表示位置（同期表示領域ＤＡ１に同期表示されている時点）を、開始終了入力欄１４４４における終了時点の表示欄に入力する操作を受け付ける操作アイコンである。
保存先チェックボックス１４４５は、個別ダウンロードアイコン１４３８やダウンロードアイコン１４４８の操作に応じて行われるダウンロード処理において、保存先となる記憶領域を指定するチェックボックスである。なお、図１３において「Ｍｙ Ｖｉｄｅｏ」と表記される記憶領域はその時点でログインしているユーザの為にサーバ装置１３０に設けられた記憶領域を意味し、「視聴端末」とはその時点でユーザが閲覧している視聴端末装置１４０に設けられた記憶領域を意味している。
セクション追加アイコン１４４６は、その時点で開始終了入力欄１４４４に入力されている開始時点と終了時点に従って、セクション表示部１４４０に表示するセクションを追加する操作を受け付ける操作アイコンである。
ここで挙げた各操作アイコンの操作に基づいて、ユーザはセクションを任意に設定することができる。即ち、上記の各操作アイコンは、本発明のセクション設定手段の契機となる操作を受け付ける。なお、セクションの設定処理自体はサーバ装置１３０によって実行されるものであり、本発明のセクション設定手段はサーバ装置１３０によって構成されるものである。
【００６０】
セクション削除アイコン１４４７は、その時点においてセクション番号表示部１４３６のチェックボックスにチェックが入っているセクションを削除する（セクション表示部１４４０に表示されている一覧から消去する）操作を受け付ける操作アイコンである。
【００６１】
ダウンロードアイコン１４４８は、保存動画時間表示部１４３９に表示された（算出手段による算出の対象になった）セクション重複部分に含まれるタイムコードに対応する動画ファイルを部分的に切り出して所定の記憶領域に保存させる処理（以下、部分保存処理と称する）の契機となる操作を受け付ける操作アイコンである。即ち、ダウンロードアイコン１４４８は、本発明の部分保存手段の契機となる操作を受け付ける。
より詳細には、ダウンロードアイコン１４４８は、その時点においてセクション番号表示部１４３６のチェックボックスにチェックが入っているセクションに対応しており、且つ、各セクションにおいて入力系統指定ボックス１４４１で指定されている入力系統の動画ファイルを、保存先チェックボックス１４４５で指定された所定の記憶領域に一括的に保存させる操作を受け付ける操作アイコンである。換言すれば、ダウンロードアイコン１４４８の操作を契機とする部分保存処理は、セクション番号表示部１４３６によって指定されたセクションに含まれるタイムコードに対応しており且つ入力系統指定ボックス１４４１によって指定された入力系統から入力された動画ファイルを一括的に保存することができる。
【００６２】
なお、上記の部分保存処理は、視聴端末装置１４０において受け付けたダウンロードアイコン１４４８の操作に基づく要求に応じて、サーバ装置１３０が対象の動画ファイルを指定された所定の記憶領域に保存させるものである。
ここで所定の記憶領域として「Ｍｙ Ｖｉｄｅｏ」が指定されている場合、部分保存処理とは、視聴端末装置１４０の同期表示領域ＤＡ１に表示している動画ファイルの元となる動画ファイルが格納されている記憶領域（サーバ装置１３０内の記憶領域）から該動画ファイルを読み出して部分的に複製することによって得られた新たな動画ファイルを、サーバ装置１３０内の別の記憶領域に保存する処理と言える。
また、ここで所定の記憶領域として「視聴端末」が指定されている場合、部分保存処理とは、視聴端末装置１４０の同期表示領域ＤＡ１に表示している動画ファイルの元となる動画ファイルが格納されている記憶領域（サーバ装置１３０内の記憶領域）から該動画ファイルを読み出して部分的に複製することによって得られた新たな動画ファイルを、サーバ装置１３０から視聴端末装置１４０に転送して、視聴端末装置１４０が自機内の記憶領域に保存する処理と言える。
即ち、本発明に係る部分保存手段は、サーバ装置１３０と視聴端末装置１４０の協働によって構成されるものといえる。
【００６３】
保存動画時間表示部１４３９に表示される時間長さ（算出手段によって算出されたセクション重複部分の時間長さ）が所定時間（例えば、３０分）を超える場合の少なくとも一部において、サーバ装置１３０が部分保存処理を実行すると、所定の記憶領域に保存する動画ファイルを所定時間以下に短縮する短縮処理が行われる。
ここで短縮処理後の動画ファイルの時間長さは、所定時間に収まれば足りるが、本発明の目的に鑑みれば所定時間に略一致であることがより好ましい。
【００６４】
短縮処理の目標となる所定時間は、入力系統ごとに短縮目標時間表示部１４４９〜１５５２に表示される。即ち、「Ｖ１」に係る入力系統の所定時間が短縮目標時間表示部１４４９に表示され、「Ｖ２」に係る入力系統の所定時間が短縮目標時間表示部１４５０に表示され、「Ｖ３」に係る入力系統の所定時間が短縮目標時間表示部１４５１に表示され、「Ｖ４」に係る入力系統の所定時間が短縮目標時間表示部１４５２に表示される。
ここで短縮目標時間表示部１４４９〜１５５２のいずれか一つについて所定時間が入力されると、全ての入力系統にわたって同程度の短縮比率になるように他の三つに表示されている所定時間が自動的に変動する構成になっている。ここで「全ての入力系統にわたって同程度の短縮比率になる」とは、具体的には、「Ｖ１ Ｔｏｔａｌ」の表示時間と短縮目標時間表示部１４４９の表示時間との比率、「Ｖ２ Ｔｏｔａｌ」の表示時間と短縮目標時間表示部１４５０の表示時間との比率、「Ｖ３ Ｔｏｔａｌ」の表示時間と短縮目標時間表示部１４５１の表示時間との比率、及び「Ｖ４ Ｔｏｔａｌ」の表示時間と短縮目標時間表示部１４５２の表示時間との比率、の各々が略等しいことである。
なお、本発明の目的に鑑みれば、短縮目標時間表示部１４４９〜１５５２に表示される所定時間は、ユーザによる操作に基づいて任意に定められる時間であることがより好ましいが、自動的に設定される時間であってもよい場合がある。例えば、最初はデフォルトの所定時間が自動的に設定され、必要に応じて該所定時間をユーザによる操作に基づいて事後的に調整してもよい。
【００６５】
保存動画時間表示部１４３９に表示される（算出手段による算出の対象になった）セクション重複部分に含まれるタイムコードに対応する動画ファイルが複数である場合、該セクション重複部分の時間長さに対する短縮処理の対象となる各動画ファイルの時間が占める割合と、各動画ファイルが該短縮処理によって短縮される時間と、の間に正の相関関係が認められることが好ましい。より厳密に言えば、上記の総時間に対して、短縮処理の対象となる各動画ファイルの時間が占める割合に略比例して各動画ファイルを短縮することが好ましい。
例えば、図１３に図示する事例にならえば、保存動画時間表示部１４３９の「Ｖ１ Ｔｏｔａｌ」に表示されているセクション重複部分の時間長さ（３２分１０秒）を目標の所定時間（３０分）に短縮する場合、「＃１」のセクションについては「５分５秒」から約「４分４４．５秒」に短縮され、「＃２」のセクションについては「４分５５秒」から約「４分３５．１秒」に短縮され、「＃３」のセクションについては「２２分１０秒」から約「２０分４０．４秒」に短縮され、合計３０分に短縮されると良い。このような短縮処理を実現する為には、例えば、サーバ装置１３０は、短縮処理の対象となる動画ファイルから、単位時間あたりで均等な数の画像フレームを消去する（間引く）ことが考えられる。但し、このような短縮処理の態様は一具体例であって、本発明の実施における短縮処理の態様はこれに限られない。
なお、上記のような短縮処理を経て部分保存処理された動画ファイルは、視聴端末装置１４０において再生されると、等倍速度で再生したとしても再生速度が早くなる（早送りしている）ように視認される。
【００６６】
本実施形態におけるダウンロードアイコン１４４８の操作を契機とする部分保存処理は、保存動画時間表示部１４３９に表示される（算出手段による算出の対象になった）セクション重複部分に含まれるタイムコードに対応する動画ファイルが複数である場合において、サーバ装置１３０は保存対象の複数の動画ファイルの少なくとも一部を統合して所定の記憶領域に保存させることができる。
【００６７】
例えば、保存動画時間表示部１４３９の「Ｖ２ Ｔｏｔａｌ」に表示されているセクション重複部分（２２分１０秒）に対応する動画ファイルについて部分保存処理をする場合について説明する。この場合、図１３に図示したように、「Ｖ２」に係る入力系統については入力系統指定ボックス１４４１において３つのセクション（「＃１」に係るセクションＳ１、「＃２」に係るセクションＳ２、「＃３」に係るセクションＳ３）が指定されており、この３つのセクションには３つの動画ファイル（動画ファイルＦ１、動画ファイルＦ２及び動画ファイルＦ３）が対応している（図１４（ａ）参照）。
ここで、セクションＳ１と動画ファイルＦ１におけるセクション重複部分Ｐ１は、セクションＳ１と同じく、１７分０秒から２２分５秒までの時間帯のタイムコードを含む。セクションＳ２と動画ファイルＦ３におけるセクション重複部分Ｐ２は、セクションＳ２と同じく、１時間８分４５秒から１時間１３分４０秒までの時間帯のタイムコードを含む。セクションＳ３と動画ファイルＦ２におけるセクション重複部分Ｐ３は、１時間８分４５秒から１時間１３分４０秒までの時間帯のタイムコードを含む。セクションＳ３と動画ファイルＦ３におけるセクション重複部分Ｐ４は、１時間５分０秒から１時間１４分１０秒までの時間帯のタイムコードを含む。
従って、この場合における部分保存処理の対象は、セクション重複部分Ｐ１〜Ｐ４に含まれるタイムコードに対応する動画ファイルである。ここで、各動画ファイルを一つの動画ファイルＦ４に統合するが、動画ファイルＦ４におけるセクション重複部分Ｐ１〜Ｐ４の順序は対応する各セクションの識別番号の若い順（「＃１」→「＃２」→「＃３」）に結合するものとし、同じ識別番号に対応しているセクション重複部分Ｐ３とセクション重複部分Ｐ４については早いタイムコードに対応している前者を先とし後者を後として結合する（図１４（ｂ）参照）。
【００６８】
上記のように、複数の動画ファイルが部分保存処理の保存対象となるケースについて、以下に該当する具体例を列挙して説明する。
【００６９】
一つ目の具体例は、セクション番号表示部１４３６によって指定されたセクションが単一であって、入力系統指定ボックス１４４１によって指定された入力系統も単一である場合において、複数の動画ファイルが部分保存処理の保存対象となるケースである。
例えば、図５等のタイムライン表示領域ＤＡ３に表示されるタイムラインの一部（カメラ１１２〜１１４に対応するタイムライン）によって示されるように、別々の時間帯に動画ファイルが分散して存在する（録画されている時間帯と録画が中断している時間帯とが混在する）入力系統を対象としてセクションを指定した場合、指定したセクションと入力系統がそれぞれ単一であっても部分保存処理の保存対象となる動画ファイルが複数になりうる。
このようなケースにおいて部分保存処理を実行する場合、サーバ装置１３０は保存対象の複数の動画ファイルを統合してもよい。
【００７０】
二つ目の具体例は、セクション番号表示部１４３６によって指定されたセクションが複数であって、入力系統指定ボックス１４４１によって指定された入力系統が単一である場合において、複数の動画ファイルが部分保存処理の保存対象となるケースである。なお、図１４を用いた上記の説明は、当該ケースに該当する。
例えば、図５等のタイムライン表示領域ＤＡ３に表示されるタイムラインの一部（カメラ１１１に対応するタイムライン）によって示されるように、全時間帯に単独の動画ファイルが存在する（全時間帯において録画されている）入力系統を対象としてセクションを指定した場合、指定した入力系統が単一であっても指定した複数のセクションは互いに独立したものと扱われるので、部分保存処理の保存対象となる動画ファイルについても複数として扱われる。
このようなケースにおいて部分保存処理を実行する場合にも、サーバ装置１３０は保存対象の複数の動画ファイルを統合してもよい。
【００７１】
ところで、セクション番号表示部１４３６によって指定されたセクションに含まれるタイムコードに対応する動画ファイルのうち保存対象となる動画ファイルが複数になった場合であっても、保存対象の複数の動画ファイルを統合することが好ましくないケース（以下、三つ目の具体例）がある。
例えば、セクション番号表示部１４３６によって指定された一又は複数のセクションに含まれるタイムコードに対応する動画ファイルのうち保存対象となる複数の動画ファイルが、カメラ１１１から入力されたものとカメラ１１２から入力されたものである場合（即ち、セクション番号表示部１４３６によって指定されたセクションが一又は複数であって、入力系統指定ボックス１４４１によって指定された入力系統が複数である場合）、入力系統ごとに映像内容が異質である（カメラ１１１の動画が術野映像であり、カメラ１１２の動画は生体情報の推移を示す映像である）ため、管理上の観点からも又は資料として活用する観点からも一つの動画ファイルに統合することは必ずしも好ましくない。従って、上記のようなケースにおいて部分保存処理を実行する場合には、サーバ装置１３０は動画ファイルの統合を実行しなくてもよい。
一方、所定の記憶領域に保存する動画ファイルの数を削減する観点を優先する場合には、上記のようなケースであっても、サーバ装置１３０は保存対象の複数の動画ファイルを統合してもよいとも考えられる。
上記のようなケースにおいて保存対象の動画ファイルを統合するか否かは、ユーザが任意に選択可能であってもよい。
【００７２】
上記の三つ目の具体例であっても、例えば、入力系統の少なくとも一つにおいて保存対象となる動画ファイルが複数になった場合については、部分保存処理において保存対象の複数の動画ファイルを入力系統ごとに一つの動画ファイルに統合して所定の記憶領域に保存させることができることが好ましい。同じ入力系統の動画は同質の映像であるため、統合しても上記のような管理上及び資料活用上の懸念が生じないからである。
また、このように部分保存処理を実行する際に複数のセクションに対応する各動画ファイルを入力系統ごとに一つに統合することによって、管理する動画ファイルの数が削減されるので、ユーザの管理上の負担軽減が見込まれる。
【００７３】
なお、当然ながら、ここまで述べた複数の動画ファイルの統合は、上述した短縮処理が行われた動画ファイルに対しても、短縮処理が行われていない動画ファイルに対しても、共に適用可能であることは言うまでもない。
【００７４】
医療動画処理システム１００を利用するユーザは、上記のような部分保存処理を利用できるため、容易に所望の時間帯に撮影されている映像部分のみを抽出した新たな動画ファイルを入手することができ、学会発表用の資料作成等に活用し、その管理も容易に行うことができる。
【００７５】
＜本発明の変形例について＞
ここまで各図を用いて説明される実施形態に即して本発明を説明したが、本発明は上述の実施形態に限定されるものではなく、本発明の目的が達成される限りにおける種々の変形、改良等の態様も含む。
【００７６】
上記の実施形態の説明においては図１に図示する構成要素を前提として説明したが、本発明の各構成要素は、その機能を実現するように形成されていればよい。従って、本発明の各構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
例えば、本発明に係る医療動画処理システムには、カメラ１１１〜カメラ１１４に相当する撮影装置が含まれなくてもよく、システム外部の撮影装置から入力される動画ファイルについて処理してもよいし、撮影装置とは異なる装置（例えば、医療用の計測装置等）から入力される動画ファイルについて処理してもよい。
【００７７】
上記の実施形態において述べた種々の操作は、一具体例であって、本発明の実施はこれに制限されるものではない。従って、上記の各操作は別の操作に置換されてもよいし、一部が省かれてもよいし、実施形態で説明していない他の操作が追加されてもよい。
【００７８】
上記の実施形態において述べた種々の表示態様は、一具体例であって、本発明の実施はこれに制限されるものではない。従って、上記の各表示は別の表示に置換されてもよいし、一部が省かれてもよいし、実施形態で説明していない他の表示が追加されてもよい。
【００７９】
上記の実施形態において述べた種々の編集処理は、一具体例であって、本発明の実施はこれに制限されるものではない。従って、上記の各編集処理は一部が省かれてもよいし、実施形態で説明していない他の編集処理が追加されてもよい。
【００８０】
上記の実施形態において、カメラ１１１から入力される動画ファイルは、施術が行われている期間を通して録画されているものであり、且つ、該動画ファイルに関するタイムライン（図５等において「Ｖｉｄｅｏ．１」と図示されるタイムライン）は、施術が行われている期間を表しているに等しいものとして説明したが、本発明の実施はこの態様に限られない。即ち、本発明の実施において、施術が行われている期間を通して録画されている動画ファイルが必ずしも存在する必要はなく、視聴端末装置１４０（同期表示領域ＤＡ１）に同期表示する全ての動画ファイルが、録画が停止している時間帯を含むものであってもよい。
【００８１】
上記の実施形態では、複数の入力系統から動画ファイルを入力する構成を前提として説明したが、入力系統が単独、即ち同期表示できない医療動画処理システムにおいて本発明が実施されてもよい。このとき、本発明に係る入力系統指定手段（入力系統指定ボックス１４４１）に相当する構成が存在し無くても良い。
【００８２】
上記の実施形態では、従前に設定された（セクション表示部１４４０に表示された）一又は複数のセクションを、ユーザによる操作に基づいて任意に指定する構成を前提として説明したが、本発明の実施において事後的にセクションを指定する構成、即ち本発明に係るセクション指定手段（セクション番号表示部１４３６のチェックボックス）に相当する構成は必ずしも存在し無くて良い。
【００８３】
上記の実施形態において、本発明に係る算出手段による処理上は、時間帯が重複しているセクション（例えば、図１３に図示する「＃２」のセクションと「＃３」のセクション）であっても個別のセクションとして扱い、本実施形態における保存動画時間表示部１４３９に表示される時間長さ（算出手段によって算出される時間長さ）については、相互に重複する時間帯を考慮に入れない旨を述べたが、本発明の実施はこれに限られない。
例えば、セクション番号表示部１４３６によって指定された複数のセクションの一部又は全部が重複する事例において、部分保存処理において第一のセクションと第二のセクションとを統合した時間帯を個別のセクションとして扱う仕様である場合（例えば、図１４に図示した事例に倣えば、セクションＳ２（１時間８分４５秒から１時間１３分４０秒まで）とセクションＳ３（５２分０秒から１時間１４分１０秒まで）即ち、複数のセクションを統合して得られる個別のセクション（５２分０秒から１時間１４分１０秒まで）に含まれるタイムコードに対応する動画ファイルを対象として部分保存処理を行う場合）、保存動画時間表示部１４３９の表示時間は、その個別のセクションに基づいて定められるセクション重複部分の時間長さとすることが好ましい。そのような総時間の方が、実際に再生される時間長さに等しいからである。
【００８４】
上記の実施形態において、ダウンロードアイコン１４４８の操作を契機とする部分保存処理は、該部分保存処理の対象となる動画ファイルが複数の入力系統に存在する場合、短縮処理を入力系統の各々に対して行うことが好ましい旨を述べたが、本発明の実施はこれに限られない。
例えば、上記の場合において、複数の入力系統に係るセクション重複部分のタイムコードに対応する全ての動画ファイルの時間を合算し、合算して得られた合計時間を目標となる所定時間以下に短縮する短縮処理が実行されてもよい。
【００８５】
上記の実施形態において述べた各操作アイコンの表示位置は、一具体例であって、本発明の実施はこれに制限されるものではない。但し、本発明の編集処理に係わる操作アイコンについては、タイムライン表示領域及び同期表示領域を参照しながら操作できる位置に表示されることが好ましい。換言するならば、本発明の編集処理に係わる操作アイコンは、本発明のタイムライン表示領域及び同期表示領域が表示される表示手段に表示されることが好ましい。ここで「タイムライン表示領域及び同期表示領域が表示される表示手段に表示される」という概念には、同じ表示枠（ウィンドウ）に表示されることに限られず、上記の実施形態のように別々の表示枠に表示されること（図１３や図１４参照）や、同じプラットフォームの制御下にある複数の表示装置（マルチモニタ）に別々に表示されること等も含まれる。
【００８６】
本実施形態は以下の技術思想を包含する。
（１）施術が行われている施術期間の或る時点を始点として定められるタイムコードに対応付けて、前記施術期間の一部又は全部にわたって録画された複数の動画ファイルを記憶する記憶手段と、前記記憶手段に記憶されている動画ファイル及び動画ファイルに関する情報を表示する表示手段と、前記表示手段に表示されている動画ファイルに対応する前記タイムコード上の時間帯の一部又は全部であるセクションを、ユーザによる操作に基づいて任意に設定するセクション設定手段と、前記セクション設定手段によって設定された前記セクションの少なくとも一部に対応する一又は複数の動画ファイルを前記記憶手段から読み出し、読み出した動画ファイルが録画されている一又は複数の時間帯のうち該セクションと重複する時間帯であるセクション重複部分の時間長さを算出する算出手段と、前記算出手段による算出の対象になった前記セクション重複部分に含まれる前記タイムコードに対応する動画ファイルを部分的に切り出して所定の記憶領域に保存させる部分保存手段と、を備え、前記算出手段によって算出された前記セクション重複部分の時間長さが所定時間を超える場合の少なくとも一部において、前記部分保存手段は、前記所定の記憶領域に保存させる動画ファイルの時間長さを前記所定時間以下に短縮する短縮処理を行うことを特徴とする医療動画処理システム。
（２）前記所定時間は、ユーザによる操作に基づいて任意に定められる時間である（１）に記載の医療動画処理システム。
（３）前記部分保存手段は、前記算出手段による算出の対象になった前記セクション重複部分に含まれる前記タイムコードに対応する動画ファイルが複数である場合、該セクション重複部分の時間長さに対する前記短縮処理の対象となる各動画ファイルの時間が占める割合と、各動画ファイルが該短縮処理によって短縮される時間と、の間に正の相関関係がある（１）又は（２）に記載の医療動画処理システム。
（４）前記部分保存手段は、前記算出手段による算出の対象になった前記セクション重複部分に含まれる前記タイムコードに対応する動画ファイルが複数である場合において、保存対象の複数の動画ファイルの少なくとも一部を統合して前記所定の記憶領域に保存させる（１）から（３）のいずれか一つに記載の医療動画処理システム。
（５）前記施術に関する複数の動画ファイルを複数の入力系統に分けて入力する動画入力手段を備え、前記部分保存手段は、前記算出手段による算出の対象になった前記セクション重複部分に含まれる前記タイムコードに対応する動画ファイルが複数の前記入力系統から入力された場合であって、且つ、前記入力系統の少なくとも一つにおいて保存対象となる動画ファイルが複数になった場合、保存対象の複数の動画ファイルを前記入力系統ごとに一つの動画ファイルに統合して前記所定の記憶領域に保存させる（４）に記載の医療動画処理システム。
（６）前記セクション設定手段によって設定された一又は複数の前記セクションを、ユーザによる操作に基づいて任意に指定するセクション指定手段と、複数の前記入力系統の一部又は全部を、ユーザによる操作に基づいて任意に指定する入力系統指定手段と、を備え、前記部分保存手段は、前記セクション指定手段によって指定された前記セクションに含まれる前記タイムコードに対応しており且つ前記入力系統指定手段によって指定された前記入力系統から入力された動画ファイルを一括的に保存する（５）に記載の医療動画処理システム。
【符号の説明】
【００８７】
１００  医療動画処理システム
１１１〜１１４  カメラ
１２０  エンコーダ
１３０  サーバ装置
１４０  視聴端末装置
１２０１  入力画面
１２０２  出力画面
１２０３  状態表示
１２０４  録画開始ボタン
１２０５  録画停止ボタン
１２０６  静止画撮影ボタン
１２０７  録画一時停止ボタン
１２０８  施術情報表示
１２０９  出力情報表示
１２１０  拡張表示作動ボタン
１２１１  サブ画面
１２１２  サブ画面
１２１３  サブ画面
１２１４  拡張表示停止ボタン
１４０１  ポインタ
１４０２、１４０９  全画面表示アイコン
１４０３、１４１１  入力系統表示
１４０４  静止画像
１４０５  コメント編集アイコン
１４０６  削除アイコン
１４０７、１４０８  コメント情報
１４１０  表示切替アイコン
１４１２  イベント情報
１４１３  タグ表示
１４１４  カーソル
１４１５  タグ表示
１４１６  再生速度選択アイコン
１４１７  先ジャンプアイコン
１４１８  ３０秒戻しアイコン
１４１９  １０秒戻しアイコン
１４２０  再生アイコン
１４２１  停止アイコン
１４２２  １０秒送りアイコン
１４２３  ３０秒送りアイコン
１４２４  後ジャンプアイコン
１４２５  分割態様選択部
１４２６  キャプチャアイコン
１４２７  時間軸選択アイコン
１４２８  ビューア切替アイコン
１４２９  エディタ切替アイコン
１４３０  コメント入力欄
１４３１  保存アイコン
１４３２  消去アイコン
１４３３  静止画像
１４３６  セクション番号表示部
１４３７  個別再生アイコン
１４３８  個別ダウンロードアイコン
１４３９  保存動画時間表示部
１４４０  セクション表示部
１４４１  入力系統指定ボックス
１４４２  開始時点設定アイコン
１４４３  終了時点設定アイコン
１４４４  開始終了入力欄
１４４５  保存先チェックボックス
１４４６  セクション追加アイコン
１４４７  セクション削除アイコン
１４４８  ダウンロードアイコン
１４４９〜１４５２  短縮目標時間表示部
ＤＡ１  同期表示領域
ＤＡ２  付帯表示領域
ＤＡ３  タイムライン表示領域
【図１】
2019185835.tif 000003
【図２】
2019185835.tif 000004
【図３】
2019185835.tif 000005
【図４】
2019185835.tif 000006
【図５】
2019185835.tif 000007
【図６】
2019185835.tif 000008
【図７】
2019185835.tif 000009
【図８】
2019185835.tif 000010
【図９】
2019185835.tif 000011
【図１０】
2019185835.tif 000012
【図１１】
2019185835.tif 000013
【図１２】
2019185835.tif 000014
【図１３】
2019185835.tif 000015
【図１４】
2019185835.tif 000016